【手続補正書】
【提出日】平成25年7月3日(2013.7.3)
【手続補正１】
【補正対象書類名】特許請求の範囲
【補正対象項目名】全文
【補正方法】変更
【補正の内容】
【特許請求の範囲】
【請求項１】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
を備えた、ことを特徴とする、出会い・交流・連絡又は交信の支援のためのシステム。
【請求項２】
ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、
複数のユーザーに関して、それぞれ、「自己の若しくはそのユーザー側端末の、及び、もし自己の近くに居れば自己が出会い、交流、連絡又は交信をしたいと希望する一人又は複数の他のユーザーの若しくはそのユーザー側端末の、識別データ（前記『識別データ』は、氏名、電話番号、電子メールアドレス、所属している特定の団体の名称などの所属しているグループの識別データ、などを含む）」、又は「自己の属性データ、及び、『もし自己の近くに居れば自己が出会い、交流、連絡又は交信をしたいと希望する一人又は複数の他のユーザー』の属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ・サークル、出身学校、出身地、出身国、現在の居住地、などを含む）」を、入力する、記録しておく若しくはユーザー側から受信するユーザー関連データ記録等手段と、
複数のユーザーに関して、各現在位置に関する座標データ（ＧＰＳ受信機などを利用して得られるデータであって現在位置に関する座標データを得るための基礎となるデータをも含む）を取得又は受信する座標データ取得等手段と、
（ａ）少なくとも、「或るユーザーＡの、もし自己の近くに居れば出会い等を希望する他のユーザーの識別データ又は属性データ」と、各ユーザーの現在位置に関する座標データから得られる「前記或るユーザーＡと他のユーザーとが互いにどのくらい近くに居るか若しくは前記或るユーザーＡと他のユーザーとの近接度を示す情報」とに基づいて、又は、（ｂ）少なくとも、「各ユーザーの、もし自己の近くに居れば出会い等を希望する他のユーザーの識別データ又は属性データ」と、各ユーザーの現在位置に関する座標データから得られる「前記各ユーザーが互いにどのくらい近くに居るか若しくは前記各ユーザー間の近接度を示す情報」とに基づいて、
（ａ）複数の他のユーザー（複数の、前記或るユーザーＡ以外のユーザー）、又は、（ｂ）複数のユーザーの中から、
（ａ）「前記或るユーザーＡの、もし自己の近くに居れば出会い等を希望する他のユーザーの識別データ又は属性データ」に対応する、一人又は複数の他のユーザーＢを、又は、（ｂ）互いに相手が「もし自己の近くに居れば出会い等を希望するような、他のユーザー」であるような識別データ又は属性データを有している複数のユーザーを、
抽出又は選択する抽出等手段と、
を備えたことを特徴とする、出会い・交流・連絡又は交信の支援のためのシステム。
【請求項３】
複数のユーザーのそれぞれの識別データ又は属性データを、入力する、記録しておく若しくはユーザー側から受信するためのユーザーデータ記録等手段と、
複数のユーザーの各現在位置に関する座標データ（ＧＰＳ受信機などを利用して得られるデータであって現在位置に関する座標データを得るための基礎となるデータをも含む）を取得又は受信する座標データ取得等手段と、
或るユーザーＡ側から又は各ユーザー側からの、「自己が出会い、交流、連絡又は交信をしたいと希望する他のユーザー」に関する検索条件であって、少なくとも「前記或るユーザーＡ又は各ユーザーがもし自己の近くに居れば自己が出会い、交流、連絡又は交信をしたいと希望する他のユーザーの識別データ又は属性データ（前記『自己が出会い等を希望する他のユーザーの属性データ』は、『前記或るユーザーＡ又は各ユーザー自身の属性データ』によって兼ねられるものであってもよい）」を含む検索条件を、取得、受信、入力又は送信する検索条件取得等手段と、
少なくとも、或るユーザーＡ側又は各ユーザー側からの前記検索条件と、各ユーザーの識別データ又は属性データと、「（ａ）各ユーザーの現在位置に関する座標データから得られる、前記或るユーザーＡと他のユーザーとが互いにどのくらい近くに居るか若しくは前記或るユーザーＡと他のユーザーとの近接度を示す情報、又は、（ｂ）各ユーザーの現在位置に関する座標データから得られる、前記各ユーザーが互いにどのくらい近くに居るか若しくは前記各ユーザー間の近接度を示す情報」とに基づいて、複数の他のユーザー（複数の、前記或るユーザーＡ以外のユーザー）又は複数のユーザーの中から、「（ａ）前記或るユーザーＡの検索条件を満たす一人又は複数の他のユーザーＢ」又は「（ｂ）互いに相手が自らの前記検索条件を満たす複数のユーザー」を、抽出又は検索する抽出等手段と、
備えた、ことを特徴とする、出会い・交流・連絡又は交信の支援のためのシステム。
【請求項４】
ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、
複数のユーザーに関して、それぞれ、「もし自己の近くに居れば自己が出会い、交流、連絡又は交信をしたいと希望する一人又は複数の他のユーザーの若しくはその他のユーザーが保有する端末の、識別データ（前記『識別データ』は、氏名、電話番号、電子メールアドレス、所属している特定の団体の名称などの所属しているグループの識別データ、などを含む）」、又は「自己の属性データ、及び、『もし自己の近くに居れば自己が出会い、交流、連絡又は交信をしたいと希望する一人又は複数の他のユーザー』の属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ・サークル、出身学校、出身地、出身国、現在の居住地、などを含む）」を、記録しておく若しくはユーザー側から受信するユーザー関連データ記録等手段と、
複数のユーザーに関して、それぞれの現在位置に関する座標データ（ＧＰＳ受信機などを利用して得られるデータであって現在位置に関する座標データを得るための基礎となるデータをも含む）を、入力、取得、又は受信する座標データ取得等手段と、
少なくとも、各ユーザーの又は或るユーザーＡの「もし自己の近くに居れば出会い等を希望する他のユーザーの識別データ又は属性データ」と、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、
複数のユーザー又は複数の他のユーザー（複数の、前記或るユーザーＡ以外のユーザー）の中から、
「互いに相手が『もし自己の近くに居れば出会い等を希望する他のユーザーの識別データ又は属性データ』に対応しているような、複数のユーザー」、又は「『前記或るユーザーＡの、もし自己の近くに居れば出会い等を希望する他のユーザーの識別データ又は属性データ』に対応する、一人又は複数の他のユーザーＢ」を、
抽出又は選択する抽出等手段と、
を備えたことを特徴とする、出会い・交流・連絡又は交信の支援のためのシステム。
【請求項５】
ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、
複数のユーザーに関して、それぞれが所属しているグループを識別するグループ識別データ（特定のサークルや団体の名称などを含む）を、記録しておく若しくはユーザー側から受信するグループ識別データ記録等手段と、
複数のユーザーに関して、各現在位置に関する座標データ（ＧＰＳ受信機などを利用して得られるデータであって現在位置に関する座標データを得るための基礎となるデータをも含む）を取得又は受信する座標データ取得等手段と、
少なくとも、各ユーザー又は或るユーザーＡが所属しているグループ識別データと、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、
複数のユーザー又は複数の他のユーザー（複数の、前記或るユーザーＡ以外のユーザー）の中から、
「（ａ）互いが同一のグループ識別データに対応するグループに所属しており、且つ、互いに相手が自己の前記座標データに対応する位置から近くに居る、複数のユーザー」、又は「（ｂ）前記或るユーザーＡが所属しているのと同一のグループ識別データに対応するグループに所属しており、且つ、前記或るユーザーＡの前記座標データに対応する位置から近くに居る、一人又は複数の他のユーザーＢ」を、
抽出又は選択する抽出等手段と、
を備えたことを特徴とする、出会い・交流・連絡又は交信の支援のためのシステム。
【請求項６】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を取得又は受信する座標データ取得等手段と、
複数の各ユーザーの又は或るユーザーＡの「自己が出会い、交流、連絡又は交信をしたいと希望する他のユーザー」に関する検索条件であって、少なくとも「前記『自己が出会い等を希望する他のユーザー』の識別データ又は属性データ（前記『自己が出会い等を希望する他のユーザーの属性データ』は、『前記各ユーザー又は或るユーザーＡ自身の属性データ』によって兼ねられるものであってもよい）」を含む検索条件を、取得、受信、記録、入力又は送信する検索条件取得等手段と、
少なくとも、各ユーザー側から又は或るユーザーＡ側からの前記検索条件と、各ユーザーの識別データ又は属性データと、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、
複数のユーザー又は複数の他のユーザー（複数の、前記或るユーザーＡ以外のユーザー）の中から、「（ａ）互いに相手が自らの前記検索条件を満たすような、複数のユーザー」、又は「（ｂ）前記或るユーザーＡが希望する検索条件を満たすような、一人又は複数の他のユーザーＢ」を、抽出又は検索する抽出等手段と、
備えた、ことを特徴とする、出会い・交流・連絡又は交信の支援のためのシステム。
【請求項７】
複数のユーザーのそれぞれの識別データ又は属性データを受信する又は記録しておくユーザーデータ記録等手段と、
複数のユーザーに関して、それぞれ、「もし自己の近くに居れば自己が出会い、交流、連絡又は交信をしたいと希望する一人又は複数の他のユーザー」の識別データ又は属性データを、各ユーザーの識別データと対応付けて、入力する、送信する、受信する、又は記録しておくための希望他人データ記録等手段（前記「自己が出会い等を希望する他のユーザーの属性データ」は、「前記ユーザー自身（自己）の属性データ」によって兼ねられるものであってもよい。また、前記「他のユーザーの識別データ又は属性データ」を記録しておくための手段は、前記ユーザーデータ記録等手段と同一のハードウェアにより構成されていてもよい）と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
少なくとも、各ユーザーの識別データ又は属性データと、各ユーザー又は或るユーザーＡがもし自己の近くに居れば出会い等を希望する『他のユーザー』の識別データ又は属性データと、各ユーザーの現在位置に関する座標データと、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、
複数のユーザー又は複数の他のユーザー（複数の、前記或るユーザーＡ以外のユーザー）の中から、
「（ａ）互いに相手が『もし自己の近くに居れば出会い等を希望する他のユーザーの識別データ又は属性データ』に対応しており、且つ、互いに相手が自己の前記座標データに対応する位置から近くに居る、複数のユーザー」、又は「（ｂ）前記或るユーザーＡがもし自己の近くに居れば出会い等を希望する他のユーザーの識別データ又は属性データに対応しており、且つ、前記或るユーザーＡの前記座標データに対応する位置から近くに居る、一人又は複数の他のユーザーＢ」を、
抽出又は検索する抽出等手段と、
を備えた、ことを特徴とする、出会い・交流・連絡又は交信の支援のためのシステム。
【請求項８】
ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、
複数のユーザーに関して、それぞれ、「自己の若しくはそのユーザー側端末の、及び、もし自己の近くに居れば自己が出会い、交流、連絡又は交信をしたいと希望する一人又は複数の他のユーザーの若しくはそのユーザー側端末の、識別データ（前記『識別データ』は、氏名、電話番号、電子メールアドレス、所属している特定の団体の名称などの所属しているグループの識別データ、などを含む）」、又は「自己の、及び、『もし自己の近くに居れば自己が出会い、交流、連絡又は交信をしたいと希望する一人又は複数の他のユーザー』の、属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ・サークル、出身学校、出身地、出身国、現在の居住地、などを含む）」を、記録しておく若しくはユーザー側から受信するユーザー関連データ記録等手段と、
複数のユーザーに関して、各現在位置に関する座標データ（ＧＰＳ受信機などを利用して得られるデータであって現在位置に関する座標データを得るための基礎となるデータをも含む）を受信又は取得する座標データ取得等手段と、
（ａ）予め得られている「或るユーザーＡが居るのと同一の無線基地局の圏内に居る、若しくは、或るユーザーＡがアクセスしているのと同一の無線基地局にアクセスしている、複数の他のユーザーＢ１（複数の、前記或るユーザーＡ以外のユーザーＢ１）」若しくは予め得られている「或るユーザーＡ及び複数の他のユーザーの各現在位置に関する座標データに基づいて予め抽出された、或るユーザーＡの近くに居る、複数の他のユーザーＢ１（複数の、前記或るユーザーＡ以外のユーザーＢ１）」の中から、
又は（ｂ）予め得られている「或る無線基地局の圏内に居る、若しくは、或る無線基地局にアクセスしている、複数のユーザーＢ２」若しくは予め得られている「複数のユーザーの各現在位置に関する座標データに基づいて予め抽出された、互いに近くに居る、複数のユーザーＢ２」の中から、
少なくとも「或るユーザーＡ又は各ユーザーがもし自己の近くに居れば出会い等を希望する他のユーザーの識別データ又は属性データと、各ユーザーの現在位置に関する座標データと」に基づいて、
「（ａ）『或るユーザーＡがもし自己の近くに居れば出会い等を希望する他のユーザーの識別データ又は属性データ』に対応しており、且つ、或るユーザーＡの『近く』に居る（ここでの『近く』とは、前記「無線基地局の圏内」よりも狭い範囲を示す近く、若しくは、前記複数の他のユーザーＢ１を予め抽出したときの「近く」よりも狭い範囲を示す近く、を意味する）、一人又は複数の他のユーザーＢ１’」を、
又は、「（ｂ）互いに相手が『もし自己の近くに居れば出会い等を希望する他のユーザーの識別データ又は属性データ』に対応しており、且つ、互いに『近く』に居る（ここでの『近く』とは、前記『無線基地局の圏内』よりも狭い範囲を示す近く、若しくは、前記複数のユーザーＢ２を予め抽出したときの『近く』よりも狭い範囲を示す近く、を意味する）、複数のユーザーＢ２’」を、
抽出又は選択する抽出等手段と、
を備えたことを特徴とする、出会い・交流・連絡又は交信の支援のためのシステム。
【請求項９】
ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、
複数のユーザーに関して、それぞれ（自己）が所属しているグループを識別するグループ識別データ（特定のサークルや団体の名称などをも含む）を、記録しておく若しくはユーザー側から受信するグループ識別データ記録等手段と、
複数のユーザーに関して、各現在位置に関する座標データ（ＧＰＳ受信機などを利用して得られるデータであって現在位置に関する座標データを得るための基礎となるデータをも含む）を取得又は受信する座標データ取得等手段と、
（ａ）予め得られている「互いに同一の基地局の圏内に居る、若しくは、互いに同一の基地局にアクセスしている複数のユーザーＡ１」若しくは予め得られている「複数のユーザーの各現在位置に関する座標データに基づいて予め抽出された、互いに近くに居る、複数のユーザーＡ１」の中から、
又は（ｂ）予め得られている「或るユーザーＡが居るのと同一の無線基地局の圏内に居る、若しくは、或るユーザーＡがアクセスしているのと同一の無線基地局にアクセスしている、複数の他の（前記或るユーザーＡ以外の）ユーザーＡ２」若しくは予め得られている「或るユーザーＡ及び複数の他のユーザーの各現在位置に関する座標データに基づいて予め抽出された、或るユーザーＡの近くに居る、複数の他のユーザーＡ２（複数の、前記或るユーザーＡ以外のユーザーＡ２）」の中から、
少なくとも「各ユーザー又は或るユーザーＡが所属しているグループのグループ識別データと、各ユーザーの現在位置に関する座標データと」に基づいて、
「互いが同一のグループ識別データに対応するグループに所属しており、且つ、互いに『近く』に居る（ここでの『近く』とは、前記「基地局の圏内」よりも狭い範囲を示す近く、又は、前記複数のユーザーＡ１を予め抽出したときの「近く」よりも狭い範囲を示す近く、を意味する）、複数のユーザーＡ１’」を、
又は、「『或るユーザーＡが所属しているグループと同一のグループ識別データに対応するグループに所属しており、且つ、或るユーザーＡの『近く』に居る（ここでの『近く』とは、前記『無線基地局の圏内』よりも狭い範囲を示す近く、若しくは、前記複数の他のユーザーＡ２を予め抽出したときの『近く』よりも狭い範囲を示す近く、を意味する）、一人又は複数の他のユーザーＡ２’」を、
抽出又は選択する抽出等手段と、
を備えたことを特徴とする、出会い・交流・連絡又は交信の支援のためのシステム。
【請求項１０】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を取得又は受信する座標データ取得等手段と、
各ユーザー又は或るユーザーＡの「自己が出会い、交流、連絡又は交信をしたいと希望する他のユーザー」に関する検索条件であって、少なくとも「前記『自己が出会い等を希望する他のユーザー』の識別データ又は属性データ（前記『自己が出会い等を希望する他のユーザーの属性データ』は、『前記各ユーザー又は或るユーザーＡ自身の属性データ』によって兼ねられるものであってもよい）」を含む検索条件を、取得、受信、入力又は送信する検索条件取得等手段と、
（ａ）予め得られている「互いに同一の無線基地局の圏内に居る、若しくは、互いに同一の無線基地局にアクセスしている複数のユーザーＡ１」若しくは予め得られている「複数のユーザーの各現在位置に関する座標データに基づいて予め抽出された、互いに近くに居る、複数のユーザーＡ１」の中から、
又は（ｂ）予め得られている「或るユーザーＡが居るのと同一の無線基地局の圏内に居る、若しくは、或るユーザーＡがアクセスしているのと同一の無線基地局にアクセスしている、複数の他のユーザーＡ２（複数の、前記或るユーザーＡ以外のユーザーＡ２）」若しくは予め得られている「或るユーザーＡ及び複数の他のユーザーの各現在位置に関する座標データに基づいて予め抽出された、或るユーザーＡの近くに居る、複数の他のユーザーＡ２（前記或るユーザーＡ以外のユーザーＡ２）」の中から、
少なくとも「各ユーザーの識別データ又は属性データと、各ユーザーの現在位置に関する座標データと、各ユーザー又は或るユーザーＡの前記検索条件と」に基づいて、
「（ａ）互いに相手が自らの検索条件を満たしており、且つ、互いに『近く』に居る（ここでの『近く』とは、前記「基地局の圏内」よりも狭い範囲を示す近く、又は、前記複数のユーザーＡ１を予め抽出したときの「近く」よりも狭い範囲を示す近く、を意味する）、複数のユーザーＡ１’」を、
又は「（ｂ）前記或るユーザーＡの検索条件を満たしており、且つ、前記或るユーザーＡの『近く』に居る（ここでの『近く』とは、前記『無線基地局の圏内』よりも狭い範囲を示す近く、若しくは、前記複数の他のユーザーＡ２を予め抽出したときの『近く』よりも狭い範囲を示す近く、を意味する）、一人又は複数の他のユーザーＡ２’」を、
抽出又は検索する抽出等手段と、
備えた、ことを特徴とする、出会い・交流・連絡又は交信の支援のためのシステム。
【請求項１１】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
少なくとも、各ユーザーの識別データ又は属性データと、各ユーザー又は前記或るユーザーＡの『もし自己の近くに居れば出会い等を希望する他のユーザー』の識別データ又は属性データと、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、
「（ａ）互いに相手の『もし自己の近くに居れば出会い等を希望する他のユーザーの識別データ又は属性データ』に対応しており、且つ、互いに『近く』に居る、複数のユーザー」を、又は「（ｂ）前記或るユーザーＡの『もし自己の近くに居れば出会い等を希望する他のユーザーの識別データ又は属性データ』に対応しており、且つ、前記或るユーザーＡの『近く』に居る、一人又は複数の他のユーザーＢ」を、抽出又は検索する抽出等手段と、
を備えた、ことを特徴とする、出会い・交流・連絡又は交信の支援のためのシステム。
【請求項１２】
ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、
複数のユーザーに関して、それぞれ、「自己の若しくはそのユーザー側端末の、及び、もし自己の近くに居れば自己が出会い、交流、連絡又は交信をしたいと希望する一人又は複数の他のユーザーの若しくはそのユーザー側端末の、識別データ（前記『識別データ』は、氏名、電話番号、電子メールアドレス、所属している特定の団体の名称などの所属しているグループの識別データ、などを含む）」、又は「自己の属性データ、及び、『もし自己の近くに居れば自己が出会い、交流、連絡又は交信をしたいと希望する一人又は複数の他のユーザー』の属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ・サークル、出身学校、出身地、出身国、現在の居住地、などを含む）」を、入力する、記録しておく若しくはユーザー側から受信するユーザー関連データ記録等手段と、
複数のユーザーに関して、各現在位置に関する座標データ（ＧＰＳ受信機などを利用して得られるデータであって現在位置に関する座標データを得るための基礎となるデータをも含む）を取得又は受信する座標データ取得等手段と、
（ａ）少なくとも、「或るユーザーＡの、もし自己の近くに居れば出会い等を希望する他のユーザーの識別データ又は属性データ」と、各ユーザーの現在位置に関する座標データから得られる「前記或るユーザーＡと他のユーザーとが互いにどのくらい近くに居るか若しくは前記或るユーザーＡと他のユーザーとの近接度を示す情報」とに基づいて、又は、（ｂ）少なくとも、「各ユーザーの、もし自己の近くに居れば出会い等を希望する他のユーザーの識別データ又は属性データ」と、各ユーザーの現在位置に関する座標データから得られる「前記各ユーザーが互いにどのくらい近くに居るか若しくは前記各ユーザー間の近接度を示す情報」とに基づいて、
（ａ）複数の他のユーザー（複数の、前記或るユーザーＡ以外のユーザー）、又は、（ｂ）複数のユーザーの中から、
（ａ）「前記或るユーザーＡの、もし自己の近くに居れば出会い等を希望する他のユーザーの識別データ又は属性データ」に対応する、一人又は複数の他のユーザーＢを、又は、（ｂ）互いに相手が「もし自己の近くに居れば出会い等を希望するような、他のユーザー」であるような識別データ又は属性データを有している複数のユーザーを、
抽出又は選択する抽出等手段と、
を備えたことを特徴とする、出会い・交流・連絡又は交信の支援のためのシステム。
【請求項１３】
複数のユーザーのそれぞれの識別データ又は属性データを、入力する、記録しておく若しくはユーザー側から受信するためのユーザーデータ記録等手段と、
複数のユーザーの各現在位置に関する座標データ（ＧＰＳ受信機などを利用して得られるデータであって現在位置に関する座標データを得るための基礎となるデータをも含む）を取得又は受信する座標データ取得等手段と、
或るユーザーＡ側から又は各ユーザー側からの、「自己が出会い、交流、連絡又は交信をしたいと希望する他のユーザー」に関する検索条件であって、少なくとも「前記或るユーザーＡ又は各ユーザーがもし自己の近くに居れば自己が出会い、交流、連絡又は交信をしたいと希望する他のユーザーの識別データ又は属性データ（前記『自己が出会い等を希望する他のユーザーの属性データ』は、『前記或るユーザーＡ又は各ユーザー自身の属性データ』によって兼ねられるものであってもよい）」を含む検索条件を、取得、受信、入力又は送信する検索条件取得等手段と、
少なくとも、或るユーザーＡ側又は各ユーザー側からの前記検索条件と、各ユーザーの識別データ又は属性データと、「（ａ）各ユーザーの現在位置に関する座標データから得られる、前記或るユーザーＡと他のユーザーとが互いにどのくらい近くに居るか若しくは前記或るユーザーＡと他のユーザーとの近接度を示す情報、又は、（ｂ）各ユーザーの現在位置に関する座標データから得られる、前記各ユーザーが互いにどのくらい近くに居るか若しくは前記各ユーザー間の近接度を示す情報」とに基づいて、複数の他のユーザー（複数の、前記或るユーザーＡ以外のユーザー）又は複数のユーザーの中から、「（ａ）前記或るユーザーＡの検索条件を満たす一人又は複数の他のユーザーＢ」又は「（ｂ）互いに相手が自らの前記検索条件を満たす複数のユーザー」を、抽出又は検索する抽出等手段と、
備えた、ことを特徴とする、出会い・交流・連絡又は交信の支援のためのシステム。
【請求項１４】
ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、
複数のユーザーに関して、それぞれ、「もし自己の近くに居れば自己が出会い、交流、連絡又は交信をしたいと希望する一人又は複数の他のユーザーの若しくはその他のユーザーが保有する端末の、識別データ（前記『識別データ』は、氏名、電話番号、電子メールアドレス、所属している特定の団体の名称などの所属しているグループの識別データ、などを含む）」、又は「自己の属性データ、及び、『もし自己の近くに居れば自己が出会い、交流、連絡又は交信をしたいと希望する一人又は複数の他のユーザー』の属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ・サークル、出身学校、出身地、出身国、現在の居住地、などを含む）」を、記録しておく若しくはユーザー側から受信するユーザー関連データ記録等手段と、
複数のユーザーに関して、それぞれの現在位置に関する座標データ（ＧＰＳ受信機などを利用して得られるデータであって現在位置に関する座標データを得るための基礎となるデータをも含む）を、入力、取得、又は受信する座標データ取得等手段と、
少なくとも、各ユーザーの又は或るユーザーＡの「もし自己の近くに居れば出会い等を希望する他のユーザーの識別データ又は属性データ」と、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、
複数のユーザー又は複数の他のユーザー（複数の、前記或るユーザーＡ以外のユーザー）の中から、
「互いに相手が『もし自己の近くに居れば出会い等を希望する他のユーザーの識別データ又は属性データ』に対応しているような、複数のユーザー」、又は「『前記或るユーザーＡの、もし自己の近くに居れば出会い等を希望する他のユーザーの識別データ又は属性データ』に対応する、一人又は複数の他のユーザーＢ」を、
抽出又は選択する抽出等手段と、
を備えたことを特徴とする、出会い・交流・連絡又は交信の支援のためのシステム。
【請求項１５】
ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、
複数のユーザーに関して、それぞれが所属しているグループを識別するグループ識別データ（特定のサークルや団体の名称などを含む）を、記録しておく若しくはユーザー側から受信するグループ識別データ記録等手段と、
複数のユーザーに関して、各現在位置に関する座標データ（ＧＰＳ受信機などを利用して得られるデータであって現在位置に関する座標データを得るための基礎となるデータをも含む）を取得又は受信する座標データ取得等手段と、
少なくとも、各ユーザー又は或るユーザーＡが所属しているグループ識別データと、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、
複数のユーザー又は複数の他のユーザー（複数の、前記或るユーザーＡ以外のユーザー）の中から、
「（ａ）互いが同一のグループ識別データに対応するグループに所属しており、且つ、互いに相手が自己の前記座標データに対応する位置から近くに居る、複数のユーザー」、又は「（ｂ）前記或るユーザーＡが所属しているのと同一のグループ識別データに対応するグループに所属しており、且つ、前記或るユーザーＡの前記座標データに対応する位置から近くに居る、一人又は複数の他のユーザーＢ」を、
抽出又は選択する抽出等手段と、
を備えたことを特徴とする、出会い・交流・連絡又は交信の支援のためのシステム。
【請求項１６】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を取得又は受信する座標データ取得等手段と、
複数の各ユーザーの又は或るユーザーＡの「自己が出会い、交流、連絡又は交信をしたいと希望する他のユーザー」に関する検索条件であって、少なくとも「前記『自己が出会い等を希望する他のユーザー』の識別データ又は属性データ（前記『自己が出会い等を希望する他のユーザーの属性データ』は、『前記各ユーザー又は或るユーザーＡ自身の属性データ』によって兼ねられるものであってもよい）」を含む検索条件を、取得、受信、記録、入力又は送信する検索条件取得等手段と、
少なくとも、各ユーザー側から又は或るユーザーＡ側からの前記検索条件と、各ユーザーの識別データ又は属性データと、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、
複数のユーザー又は複数の他のユーザー（複数の、前記或るユーザーＡ以外のユーザー）の中から、「（ａ）互いに相手が自らの前記検索条件を満たすような、複数のユーザー」、又は「（ｂ）前記或るユーザーＡが希望する検索条件を満たすような、一人又は複数の他のユーザーＢ」を、抽出又は検索する抽出等手段と、
備えた、ことを特徴とする、出会い・交流・連絡又は交信の支援のためのシステム。
【請求項１７】
複数のユーザーのそれぞれの識別データ又は属性データを受信する又は記録しておくユーザーデータ記録等手段と、
複数のユーザーに関して、それぞれ、「もし自己の近くに居れば自己が出会い、交流、連絡又は交信をしたいと希望する一人又は複数の他のユーザー」の識別データ又は属性データを、各ユーザーの識別データと対応付けて、入力する、送信する、受信する、又は記録しておくための希望他人データ記録等手段（前記「自己が出会い等を希望する他のユーザーの属性データ」は、「前記ユーザー自身（自己）の属性データ」によって兼ねられるものであってもよい。また、前記「他のユーザーの識別データ又は属性データ」を記録しておくための手段は、前記ユーザーデータ記録等手段と同一のハードウェアにより構成されていてもよい）と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
少なくとも、各ユーザーの識別データ又は属性データと、各ユーザー又は或るユーザーＡがもし自己の近くに居れば出会い等を希望する『他のユーザー』の識別データ又は属性データと、各ユーザーの現在位置に関する座標データと、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、
複数のユーザー又は複数の他のユーザー（複数の、前記或るユーザーＡ以外のユーザー）の中から、
「（ａ）互いに相手が『もし自己の近くに居れば出会い等を希望する他のユーザーの識別データ又は属性データ』に対応しており、且つ、互いに相手が自己の前記座標データに対応する位置から近くに居る、複数のユーザー」、又は「（ｂ）前記或るユーザーＡがもし自己の近くに居れば出会い等を希望する他のユーザーの識別データ又は属性データに対応しており、且つ、前記或るユーザーＡの前記座標データに対応する位置から近くに居る、一人又は複数の他のユーザーＢ」を、
抽出又は検索する抽出等手段と、
を備えた、ことを特徴とする、出会い・交流・連絡又は交信の支援のためのシステム。
【請求項１８】
ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、
複数のユーザーに関して、それぞれ、「自己の若しくはそのユーザー側端末の、及び、もし自己の近くに居れば自己が出会い、交流、連絡又は交信をしたいと希望する一人又は複数の他のユーザーの若しくはそのユーザー側端末の、識別データ（前記『識別データ』は、氏名、電話番号、電子メールアドレス、所属している特定の団体の名称などの所属しているグループの識別データ、などを含む）」、又は「自己の、及び、『もし自己の近くに居れば自己が出会い、交流、連絡又は交信をしたいと希望する一人又は複数の他のユーザー』の、属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ・サークル、出身学校、出身地、出身国、現在の居住地、などを含む）」を、記録しておく若しくはユーザー側から受信するユーザー関連データ記録等手段と、
複数のユーザーに関して、各現在位置に関する座標データ（ＧＰＳ受信機などを利用して得られるデータであって現在位置に関する座標データを得るための基礎となるデータをも含む）を受信又は取得する座標データ取得等手段と、
（ａ）予め得られている「或るユーザーＡが居るのと同一の無線基地局の圏内に居る、若しくは、或るユーザーＡがアクセスしているのと同一の無線基地局にアクセスしている、複数の他のユーザーＢ１（複数の、前記或るユーザーＡ以外のユーザーＢ１）」若しくは予め得られている「或るユーザーＡ及び複数の他のユーザーの各現在位置に関する座標データに基づいて予め抽出された、或るユーザーＡの近くに居る、複数の他のユーザーＢ１（複数の、前記或るユーザーＡ以外のユーザーＢ１）」の中から、
又は（ｂ）予め得られている「或る無線基地局の圏内に居る、若しくは、或る無線基地局にアクセスしている、複数のユーザーＢ２」若しくは予め得られている「複数のユーザーの各現在位置に関する座標データに基づいて予め抽出された、互いに近くに居る、複数のユーザーＢ２」の中から、
少なくとも「或るユーザーＡ又は各ユーザーがもし自己の近くに居れば出会い等を希望する他のユーザーの識別データ又は属性データと、各ユーザーの現在位置に関する座標データと」に基づいて、
「（ａ）『或るユーザーＡがもし自己の近くに居れば出会い等を希望する他のユーザーの識別データ又は属性データ』に対応しており、且つ、或るユーザーＡの『近く』に居る（ここでの『近く』とは、前記「無線基地局の圏内」よりも狭い範囲を示す近く、若しくは、前記複数の他のユーザーＢ１を予め抽出したときの「近く」よりも狭い範囲を示す近く、を意味する）、一人又は複数の他のユーザーＢ１’」を、
又は、「（ｂ）互いに相手が『もし自己の近くに居れば出会い等を希望する他のユーザーの識別データ又は属性データ』に対応しており、且つ、互いに『近く』に居る（ここでの『近く』とは、前記『無線基地局の圏内』よりも狭い範囲を示す近く、若しくは、前記複数のユーザーＢ２を予め抽出したときの『近く』よりも狭い範囲を示す近く、を意味する）、複数のユーザーＢ２’」を、
抽出又は選択する抽出等手段と、
を備えたことを特徴とする、出会い・交流・連絡又は交信の支援のためのシステム。
【請求項１９】
ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、
複数のユーザーに関して、それぞれ（自己）が所属しているグループを識別するグループ識別データ（特定のサークルや団体の名称などをも含む）を、記録しておく若しくはユーザー側から受信するグループ識別データ記録等手段と、
複数のユーザーに関して、各現在位置に関する座標データ（ＧＰＳ受信機などを利用して得られるデータであって現在位置に関する座標データを得るための基礎となるデータをも含む）を取得又は受信する座標データ取得等手段と、
（ａ）予め得られている「互いに同一の基地局の圏内に居る、若しくは、互いに同一の基地局にアクセスしている複数のユーザーＡ１」若しくは予め得られている「複数のユーザーの各現在位置に関する座標データに基づいて予め抽出された、互いに近くに居る、複数のユーザーＡ１」の中から、
又は（ｂ）予め得られている「或るユーザーＡが居るのと同一の無線基地局の圏内に居る、若しくは、或るユーザーＡがアクセスしているのと同一の無線基地局にアクセスしている、複数の他の（前記或るユーザーＡ以外の）ユーザーＡ２」若しくは予め得られている「或るユーザーＡ及び複数の他のユーザーの各現在位置に関する座標データに基づいて予め抽出された、或るユーザーＡの近くに居る、複数の他のユーザーＡ２（複数の、前記或るユーザーＡ以外のユーザーＡ２）」の中から、
少なくとも「各ユーザー又は或るユーザーＡが所属しているグループのグループ識別データと、各ユーザーの現在位置に関する座標データと」に基づいて、
「互いが同一のグループ識別データに対応するグループに所属しており、且つ、互いに『近く』に居る（ここでの『近く』とは、前記「基地局の圏内」よりも狭い範囲を示す近く、又は、前記複数のユーザーＡ１を予め抽出したときの「近く」よりも狭い範囲を示す近く、を意味する）、複数のユーザーＡ１’」を、
又は、「『或るユーザーＡが所属しているグループと同一のグループ識別データに対応するグループに所属しており、且つ、或るユーザーＡの『近く』に居る（ここでの『近く』とは、前記『無線基地局の圏内』よりも狭い範囲を示す近く、若しくは、前記複数の他のユーザーＡ２を予め抽出したときの『近く』よりも狭い範囲を示す近く、を意味する）、一人又は複数の他のユーザーＡ２’」を、
抽出又は選択する抽出等手段と、
を備えたことを特徴とする、出会い・交流・連絡又は交信の支援のためのシステム。
【請求項２０】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を取得又は受信する座標データ取得等手段と、
各ユーザー又は或るユーザーＡの「自己が出会い、交流、連絡又は交信をしたいと希望する他のユーザー」に関する検索条件であって、少なくとも「前記『自己が出会い等を希望する他のユーザー』の識別データ又は属性データ（前記『自己が出会い等を希望する他のユーザーの属性データ』は、『前記各ユーザー又は或るユーザーＡ自身の属性データ』によって兼ねられるものであってもよい）」を含む検索条件を、取得、受信、入力又は送信する検索条件取得等手段と、
（ａ）予め得られている「互いに同一の無線基地局の圏内に居る、若しくは、互いに同一の無線基地局にアクセスしている複数のユーザーＡ１」若しくは予め得られている「複数のユーザーの各現在位置に関する座標データに基づいて予め抽出された、互いに近くに居る、複数のユーザーＡ１」の中から、
又は（ｂ）予め得られている「或るユーザーＡが居るのと同一の無線基地局の圏内に居る、若しくは、或るユーザーＡがアクセスしているのと同一の無線基地局にアクセスしている、複数の他のユーザーＡ２（複数の、前記或るユーザーＡ以外のユーザーＡ２）」若しくは予め得られている「或るユーザーＡ及び複数の他のユーザーの各現在位置に関する座標データに基づいて予め抽出された、或るユーザーＡの近くに居る、複数の他のユーザーＡ２（前記或るユーザーＡ以外のユーザーＡ２）」の中から、
少なくとも「各ユーザーの識別データ又は属性データと、各ユーザーの現在位置に関する座標データと、各ユーザー又は或るユーザーＡの前記検索条件と」に基づいて、
「（ａ）互いに相手が自らの検索条件を満たしており、且つ、互いに『近く』に居る（ここでの『近く』とは、前記「基地局の圏内」よりも狭い範囲を示す近く、又は、前記複数のユーザーＡ１を予め抽出したときの「近く」よりも狭い範囲を示す近く、を意味する）、複数のユーザーＡ１’」を、
又は「（ｂ）前記或るユーザーＡの検索条件を満たしており、且つ、前記或るユーザーＡの『近く』に居る（ここでの『近く』とは、前記『無線基地局の圏内』よりも狭い範囲を示す近く、若しくは、前記複数の他のユーザーＡ２を予め抽出したときの『近く』よりも狭い範囲を示す近く、を意味する）、一人又は複数の他のユーザーＡ２’」を、
抽出又は検索する抽出等手段と、
備えた、ことを特徴とする、出会い・交流・連絡又は交信の支援のためのシステム。
【請求項２１】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
少なくとも、各ユーザーの識別データ又は属性データと、各ユーザー又は前記或るユーザーＡの『もし自己の近くに居れば出会い等を希望する他のユーザー』の識別データ又は属性データと、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、
「（ａ）互いに相手の『もし自己の近くに居れば出会い等を希望する他のユーザーの識別データ又は属性データ』に対応しており、且つ、互いに『近く』に居る、複数のユーザー」を、又は「（ｂ）前記或るユーザーＡの『もし自己の近くに居れば出会い等を希望する他のユーザーの識別データ又は属性データ』に対応しており、且つ、前記或るユーザーＡの『近く』に居る、一人又は複数の他のユーザーＢ」を、抽出又は検索する抽出等手段と、
を備えた、ことを特徴とする、出会い・交流・連絡又は交信の支援のためのシステム。
【請求項２２】
ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、
複数のユーザーに関して、それぞれ、「自己の若しくはそのユーザー側端末の、及び、もし自己の近くに居れば自己が出会い、交流、連絡又は交信をしたいと希望する一人又は複数の他のユーザーの若しくはそのユーザー側端末の、識別データ（前記『識別データ』は、氏名、電話番号、電子メールアドレス、所属している特定の団体の名称などの所属しているグループの識別データ、などを含む）」、又は「自己の属性データ、及び、『もし自己の近くに居れば自己が出会い、交流、連絡又は交信をしたいと希望する一人又は複数の他のユーザー』の属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ・サークル、出身学校、出身地、出身国、現在の居住地、などを含む）」を、入力する、記録しておく若しくはユーザー側から受信するユーザー関連データ記録等手段と、
複数のユーザーに関して、各現在位置に関する座標データ（ＧＰＳ受信機などを利用して得られるデータであって現在位置に関する座標データを得るための基礎となるデータをも含む）を取得又は受信する座標データ取得等手段と、
（ａ）少なくとも、「或るユーザーＡの、もし自己の近くに居れば出会い等を希望する他のユーザーの識別データ又は属性データ」と、各ユーザーの現在位置に関する座標データから得られる「前記或るユーザーＡと他のユーザーとが互いにどのくらい近くに居るか若しくは前記或るユーザーＡと他のユーザーとの近接度を示す情報」とに基づいて、又は、（ｂ）少なくとも、「各ユーザーの、もし自己の近くに居れば出会い等を希望する他のユーザーの識別データ又は属性データ」と、各ユーザーの現在位置に関する座標データから得られる「前記各ユーザーが互いにどのくらい近くに居るか若しくは前記各ユーザー間の近接度を示す情報」とに基づいて、
（ａ）複数の他のユーザー（複数の、前記或るユーザーＡ以外のユーザー）、又は、（ｂ）複数のユーザーの中から、
（ａ）「前記或るユーザーＡの、もし自己の近くに居れば出会い等を希望する他のユーザーの識別データ又は属性データ」に対応する、一人又は複数の他のユーザーＢを、又は、（ｂ）互いに相手が「もし自己の近くに居れば出会い等を希望するような、他のユーザー」であるような識別データ又は属性データを有している複数のユーザーを、
抽出又は選択する抽出等手段と、
を備えたことを特徴とする、出会い・交流・連絡又は交信の支援のためのシステム。
【請求項２３】
複数のユーザーのそれぞれの識別データ又は属性データを、入力する、記録しておく若しくはユーザー側から受信するためのユーザーデータ記録等手段と、
複数のユーザーの各現在位置に関する座標データ（ＧＰＳ受信機などを利用して得られるデータであって現在位置に関する座標データを得るための基礎となるデータをも含む）を取得又は受信する座標データ取得等手段と、
或るユーザーＡ側から又は各ユーザー側からの、「自己が出会い、交流、連絡又は交信をしたいと希望する他のユーザー」に関する検索条件であって、少なくとも「前記或るユーザーＡ又は各ユーザーがもし自己の近くに居れば自己が出会い、交流、連絡又は交信をしたいと希望する他のユーザーの識別データ又は属性データ（前記『自己が出会い等を希望する他のユーザーの属性データ』は、『前記或るユーザーＡ又は各ユーザー自身の属性データ』によって兼ねられるものであってもよい）」を含む検索条件を、取得、受信、入力又は送信する検索条件取得等手段と、
少なくとも、或るユーザーＡ側又は各ユーザー側からの前記検索条件と、各ユーザーの識別データ又は属性データと、「（ａ）各ユーザーの現在位置に関する座標データから得られる、前記或るユーザーＡと他のユーザーとが互いにどのくらい近くに居るか若しくは前記或るユーザーＡと他のユーザーとの近接度を示す情報、又は、（ｂ）各ユーザーの現在位置に関する座標データから得られる、前記各ユーザーが互いにどのくらい近くに居るか若しくは前記各ユーザー間の近接度を示す情報」とに基づいて、複数の他のユーザー（複数の、前記或るユーザーＡ以外のユーザー）又は複数のユーザーの中から、「（ａ）前記或るユーザーＡの検索条件を満たす一人又は複数の他のユーザーＢ」又は「（ｂ）互いに相手が自らの前記検索条件を満たす複数のユーザー」を、抽出又は検索する抽出等手段と、
備えた、ことを特徴とする、出会い・交流・連絡又は交信の支援のためのシステム。
【請求項２４】
ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、
複数のユーザーに関して、それぞれ、「もし自己の近くに居れば自己が出会い、交流、連絡又は交信をしたいと希望する一人又は複数の他のユーザーの若しくはその他のユーザーが保有する端末の、識別データ（前記『識別データ』は、氏名、電話番号、電子メールアドレス、所属している特定の団体の名称などの所属しているグループの識別データ、などを含む）」、又は「自己の属性データ、及び、『もし自己の近くに居れば自己が出会い、交流、連絡又は交信をしたいと希望する一人又は複数の他のユーザー』の属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ・サークル、出身学校、出身地、出身国、現在の居住地、などを含む）」を、記録しておく若しくはユーザー側から受信するユーザー関連データ記録等手段と、
複数のユーザーに関して、それぞれの現在位置に関する座標データ（ＧＰＳ受信機などを利用して得られるデータであって現在位置に関する座標データを得るための基礎となるデータをも含む）を、入力、取得、又は受信する座標データ取得等手段と、
少なくとも、各ユーザーの又は或るユーザーＡの「もし自己の近くに居れば出会い等を希望する他のユーザーの識別データ又は属性データ」と、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、
複数のユーザー又は複数の他のユーザー（複数の、前記或るユーザーＡ以外のユーザー）の中から、
「互いに相手が『もし自己の近くに居れば出会い等を希望する他のユーザーの識別データ又は属性データ』に対応しているような、複数のユーザー」、又は「『前記或るユーザーＡの、もし自己の近くに居れば出会い等を希望する他のユーザーの識別データ又は属性データ』に対応する、一人又は複数の他のユーザーＢ」を、
抽出又は選択する抽出等手段と、
を備えたことを特徴とする、出会い・交流・連絡又は交信の支援のためのシステム。
【請求項２５】
ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、
複数のユーザーに関して、それぞれが所属しているグループを識別するグループ識別データ（特定のサークルや団体の名称などを含む）を、記録しておく若しくはユーザー側から受信するグループ識別データ記録等手段と、
複数のユーザーに関して、各現在位置に関する座標データ（ＧＰＳ受信機などを利用して得られるデータであって現在位置に関する座標データを得るための基礎となるデータをも含む）を取得又は受信する座標データ取得等手段と、
少なくとも、各ユーザー又は或るユーザーＡが所属しているグループ識別データと、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、
複数のユーザー又は複数の他のユーザー（複数の、前記或るユーザーＡ以外のユーザー）の中から、
「（ａ）互いが同一のグループ識別データに対応するグループに所属しており、且つ、互いに相手が自己の前記座標データに対応する位置から近くに居る、複数のユーザー」、又は「（ｂ）前記或るユーザーＡが所属しているのと同一のグループ識別データに対応するグループに所属しており、且つ、前記或るユーザーＡの前記座標データに対応する位置から近くに居る、一人又は複数の他のユーザーＢ」を、
抽出又は選択する抽出等手段と、
を備えたことを特徴とする、出会い・交流・連絡又は交信の支援のためのシステム。
【請求項２６】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を取得又は受信する座標データ取得等手段と、
複数の各ユーザーの又は或るユーザーＡの「自己が出会い、交流、連絡又は交信をしたいと希望する他のユーザー」に関する検索条件であって、少なくとも「前記『自己が出会い等を希望する他のユーザー』の識別データ又は属性データ（前記『自己が出会い等を希望する他のユーザーの属性データ』は、『前記各ユーザー又は或るユーザーＡ自身の属性データ』によって兼ねられるものであってもよい）」を含む検索条件を、取得、受信、記録、入力又は送信する検索条件取得等手段と、
少なくとも、各ユーザー側から又は或るユーザーＡ側からの前記検索条件と、各ユーザーの識別データ又は属性データと、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、
複数のユーザー又は複数の他のユーザー（複数の、前記或るユーザーＡ以外のユーザー）の中から、「（ａ）互いに相手が自らの前記検索条件を満たすような、複数のユーザー」、又は「（ｂ）前記或るユーザーＡが希望する検索条件を満たすような、一人又は複数の他のユーザーＢ」を、抽出又は検索する抽出等手段と、
備えた、ことを特徴とする、出会い・交流・連絡又は交信の支援のためのシステム。
【請求項２７】
複数のユーザーのそれぞれの識別データ又は属性データを受信する又は記録しておくユーザーデータ記録等手段と、
複数のユーザーに関して、それぞれ、「もし自己の近くに居れば自己が出会い、交流、連絡又は交信をしたいと希望する一人又は複数の他のユーザー」の識別データ又は属性データを、各ユーザーの識別データと対応付けて、入力する、送信する、受信する、又は記録しておくための希望他人データ記録等手段（前記「自己が出会い等を希望する他のユーザーの属性データ」は、「前記ユーザー自身（自己）の属性データ」によって兼ねられるものであってもよい。また、前記「他のユーザーの識別データ又は属性データ」を記録しておくための手段は、前記ユーザーデータ記録等手段と同一のハードウェアにより構成されていてもよい）と、
複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、
少なくとも、各ユーザーの識別データ又は属性データと、各ユーザー又は或るユーザーＡがもし自己の近くに居れば出会い等を希望する『他のユーザー』の識別データ又は属性データと、各ユーザーの現在位置に関する座標データと、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、
複数のユーザー又は複数の他のユーザー（複数の、前記或るユーザーＡ以外のユーザー）の中から、
「（ａ）互いに相手が『もし自己の近くに居れば出会い等を希望する他のユーザーの識別データ又は属性データ』に対応しており、且つ、互いに相手が自己の前記座標データに対応する位置から近くに居る、複数のユーザー」、又は「（ｂ）前記或るユーザーＡがもし自己の近くに居れば出会い等を希望する他のユーザーの識別データ又は属性データに対応しており、且つ、前記或るユーザーＡの前記座標データに対応する位置から近くに居る、一人又は複数の他のユーザーＢ」を、
抽出又は検索する抽出等手段と、
を備えた、ことを特徴とする、出会い・交流・連絡又は交信の支援のためのシステム。
【請求項２８】
ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、
複数のユーザーに関して、それぞれ、「自己の若しくはそのユーザー側端末の、及び、もし自己の近くに居れば自己が出会い、交流、連絡又は交信をしたいと希望する一人又は複数の他のユーザーの若しくはそのユーザー側端末の、識別データ（前記『識別データ』は、氏名、電話番号、電子メールアドレス、所属している特定の団体の名称などの所属しているグループの識別データ、などを含む）」、又は「自己の、及び、『もし自己の近くに居れば自己が出会い、交流、連絡又は交信をしたいと希望する一人又は複数の他のユーザー』の、属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ・サークル、出身学校、出身地、出身国、現在の居住地、などを含む）」を、記録しておく若しくはユーザー側から受信するユーザー関連データ記録等手段と、
複数のユーザーに関して、各現在位置に関する座標データ（ＧＰＳ受信機などを利用して得られるデータであって現在位置に関する座標データを得るための基礎となるデータをも含む）を受信又は取得する座標データ取得等手段と、
（ａ）予め得られている「或るユーザーＡが居るのと同一の無線基地局の圏内に居る、若しくは、或るユーザーＡがアクセスしているのと同一の無線基地局にアクセスしている、複数の他のユーザーＢ１（複数の、前記或るユーザーＡ以外のユーザーＢ１）」若しくは予め得られている「或るユーザーＡ及び複数の他のユーザーの各現在位置に関する座標データに基づいて予め抽出された、或るユーザーＡの近くに居る、複数の他のユーザーＢ１（複数の、前記或るユーザーＡ以外のユーザーＢ１）」の中から、
又は（ｂ）予め得られている「或る無線基地局の圏内に居る、若しくは、或る無線基地局にアクセスしている、複数のユーザーＢ２」若しくは予め得られている「複数のユーザーの各現在位置に関する座標データに基づいて予め抽出された、互いに近くに居る、複数のユーザーＢ２」の中から、
少なくとも「或るユーザーＡ又は各ユーザーがもし自己の近くに居れば出会い等を希望する他のユーザーの識別データ又は属性データと、各ユーザーの現在位置に関する座標データと」に基づいて、
「（ａ）『或るユーザーＡがもし自己の近くに居れば出会い等を希望する他のユーザーの識別データ又は属性データ』に対応しており、且つ、或るユーザーＡの『近く』に居る（ここでの『近く』とは、前記「無線基地局の圏内」よりも狭い範囲を示す近く、若しくは、前記複数の他のユーザーＢ１を予め抽出したときの「近く」よりも狭い範囲を示す近く、を意味する）、一人又は複数の他のユーザーＢ１’」を、
又は、「（ｂ）互いに相手が『もし自己の近くに居れば出会い等を希望する他のユーザーの識別データ又は属性データ』に対応しており、且つ、互いに『近く』に居る（ここでの『近く』とは、前記『無線基地局の圏内』よりも狭い範囲を示す近く、若しくは、前記複数のユーザーＢ２を予め抽出したときの『近く』よりも狭い範囲を示す近く、を意味する）、複数のユーザーＢ２’」を、
抽出又は選択する抽出等手段と、
を備えたことを特徴とする、出会い・交流・連絡又は交信の支援のためのシステム。
【請求項２９】
ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、
複数のユーザーに関して、それぞれ（自己）が所属しているグループを識別するグループ識別データ（特定のサークルや団体の名称などをも含む）を、記録しておく若しくはユーザー側から受信するグループ識別データ記録等手段と、
複数のユーザーに関して、各現在位置に関する座標データ（ＧＰＳ受信機などを利用して得られるデータであって現在位置に関する座標データを得るための基礎となるデータをも含む）を取得又は受信する座標データ取得等手段と、
（ａ）予め得られている「互いに同一の基地局の圏内に居る、若しくは、互いに同一の基地局にアクセスしている複数のユーザーＡ１」若しくは予め得られている「複数のユーザーの各現在位置に関する座標データに基づいて予め抽出された、互いに近くに居る、複数のユーザーＡ１」の中から、
又は（ｂ）予め得られている「或るユーザーＡが居るのと同一の無線基地局の圏内に居る、若しくは、或るユーザーＡがアクセスしているのと同一の無線基地局にアクセスしている、複数の他の（前記或るユーザーＡ以外の）ユーザーＡ２」若しくは予め得られている「或るユーザーＡ及び複数の他のユーザーの各現在位置に関する座標データに基づいて予め抽出された、或るユーザーＡの近くに居る、複数の他のユーザーＡ２（複数の、前記或るユーザーＡ以外のユーザーＡ２）」の中から、
少なくとも「各ユーザー又は或るユーザーＡが所属しているグループのグループ識別データと、各ユーザーの現在位置に関する座標データと」に基づいて、
「互いが同一のグループ識別データに対応するグループに所属しており、且つ、互いに『近く』に居る（ここでの『近く』とは、前記「基地局の圏内」よりも狭い範囲を示す近く、又は、前記複数のユーザーＡ１を予め抽出したときの「近く」よりも狭い範囲を示す近く、を意味する）、複数のユーザーＡ１’」を、
又は、「『或るユーザーＡが所属しているグループと同一のグループ識別データに対応するグループに所属しており、且つ、或るユーザーＡの『近く』に居る（ここでの『近く』とは、前記『無線基地局の圏内』よりも狭い範囲を示す近く、若しくは、前記複数の他のユーザーＡ２を予め抽出したときの『近く』よりも狭い範囲を示す近く、を意味する）、一人又は複数の他のユーザーＡ２’」を、
抽出又は選択する抽出等手段と、
を備えたことを特徴とする、出会い・交流・連絡又は交信の支援のためのシステム。
【請求項３０】
複数のユーザーのそれぞれの識別データ又は属性データを記録しておくユーザーデータ記録等手段と、
複数のユーザーの各現在位置に関する座標データ（ＧＰＳ受信機などを利用して得られるデータであって現在位置に関する座標データを得るための基礎となるデータをも含む）を取得又は受信する座標データ取得等手段と、
各ユーザー又は或るユーザーＡの「自己が出会い、交流、連絡又は交信をしたいと希望する他のユーザー」に関する検索条件であって、少なくとも「前記『自己が出会い等を希望する他のユーザー』の識別データ又は属性データ（前記『自己が出会い等を希望する他のユーザーの属性データ』は、『前記各ユーザー又は或るユーザーＡ自身の属性データ』によって兼ねられるものであってもよい）」を含む検索条件を、取得、受信、入力又は送信する検索条件取得等手段と、
（ａ）予め得られている「互いに同一の無線基地局の圏内に居る、若しくは、互いに同一の無線基地局にアクセスしている複数のユーザーＡ１」若しくは予め得られている「複数のユーザーの各現在位置に関する座標データに基づいて予め抽出された、互いに近くに居る、複数のユーザーＡ１」の中から、
又は（ｂ）予め得られている「或るユーザーＡが居るのと同一の無線基地局の圏内に居る、若しくは、或るユーザーＡがアクセスしているのと同一の無線基地局にアクセスしている、複数の他のユーザーＡ２（複数の、前記或るユーザーＡ以外のユーザーＡ２）」若しくは予め得られている「或るユーザーＡ及び複数の他のユーザーの各現在位置に関する座標データに基づいて予め抽出された、或るユーザーＡの近くに居る、複数の他のユーザーＡ２（前記或るユーザーＡ以外のユーザーＡ２）」の中から、
少なくとも「各ユーザーの識別データ又は属性データと、各ユーザーの現在位置に関する座標データと、各ユーザー又は或るユーザーＡの前記検索条件と」に基づいて、
「（ａ）互いに相手が自らの検索条件を満たしており、且つ、互いに『近く』に居る（ここでの『近く』とは、前記「基地局の圏内」よりも狭い範囲を示す近く、又は、前記複数のユーザーＡ１を予め抽出したときの「近く」よりも狭い範囲を示す近く、を意味する）、複数のユーザーＡ１’」を、
又は「（ｂ）前記或るユーザーＡの検索条件を満たしており、且つ、前記或るユーザーＡの『近く』に居る（ここでの『近く』とは、前記『無線基地局の圏内』よりも狭い範囲を示す近く、若しくは、前記複数の他のユーザーＡ２を予め抽出したときの『近く』よりも狭い範囲を示す近く、を意味する）、一人又は複数の他のユーザーＡ２’」を、
抽出又は検索する抽出等手段と、
備えた、ことを特徴とする、出会い・交流・連絡又は交信の支援のためのシステム。
【手続補正２】
【補正対象書類名】明細書
【補正対象項目名】発明の名称
【補正方法】変更
【補正の内容】
【発明の名称】出会い・連絡等支援システム
【手続補正３】
【補正対象書類名】明細書
【補正対象項目名】０００４
【補正方法】変更
【補正の内容】
【０００４】
しかしながら、上記のような、ある携帯機器から所定の信号を無線（赤外線など）により出力し、それと同種の携帯機器を持っている人が近傍に居たとき、その携帯機器が音又は振動などにより「近傍に同種の携帯機器を持つ人が居ること」を持ち主に知らせるもの（ラブゲッティ）は、それ自体に通信機能は付いていないため、その携帯機器を外部から分かるように所持している必要がある。また、同種の機器同士であれば、誰彼となく無差別に音又は振動で知らせるため、道路通行中に、前記の「知らせる」音などが度重なるとかえって煩雑である。
また、前記の日経産業新聞の記事の新型ＰＨＳについても、同一の機種のＰＨＳで同一のモードに設定している機器同士は、無差別に（自分が会話をしたい特定の人かどうかを確認しないまま）通話状態となるので、例えばある目的地に向かって急いで道路を通行中などに無差別に通話状態になるとかえって煩雑であるという問題がある。
【手続補正４】
【補正対象書類名】明細書
【補正対象項目名】０００５
【補正方法】変更
【補正の内容】
【０００５】
他方、一般に、繁華街を通行中、ある歌手のコンサート会場の中、ある学会（物理学会など）の会場の中、などの様々な場所で、たまたま偶然、親しい知人や友人に遭遇し、久しぶりの「フェイス・ツー・フェイス」の出会い・会話を楽しむことが少なくない。しかし、よく考えてみれば、同じ町に住んでいる者同士、同じ歌手のファンとして昔から知っている者同士、同じ学問（物理学など）を研究している者同士が、前記の繁華街・コンサート会場・学会の会場などで「たまたま偶然」であったとしても、それは、むしろ「十分にあり得ること、かなりの確率で起こり得ること」である。ただ、従来は、人間の視力や注意力の限界から、本当は、前記の繁華街・コンサート会場・学会の会場などで互いに近傍の位置に居合わせたのに、それを知らないまま「互いに通り過ぎた（すれ違った）」ということが、少なくなかったはずである。
特に、最近は、電子メールやテレビ会議などの普及から、コンピュータ通信ネットワークを介した交流・接触が増え、「フェイス・ツー・フェイス」の出会い・会話が少なくなる傾向にある。人々は公私共に多忙になり時間に追われるようになるため、親しい人同士でも、かなり距離的に離れた地域で生活・仕事をしていると、なかなか「フェイス・ツー・フェイス」で出会う機会がなくなってしまう。しかし、「ハイテクに囲まれた生活」が普及すればするほど、それとのバランスを取るための「ハイタッチの機会」（フェィス・トー・フェイスで出会える機会）はより貴重になっていく。特に、「たまたま偶然に」近傍に位置することになった（「フェイス・ツー・フェイス」の出会いが可能になった）機会を逃すこと無く（従来は、そのような機会があっても、人間の視力や注意力の限界から、それに気付かないまま通り過ぎることが少なくなかった）、「フェイス・ツー・フェイス」の出会いを実現すること、又は、少なくとも連絡を取り合うことは、極めて大切になる。
【手続補正５】
【補正対象書類名】明細書
【補正対象項目名】０００６
【補正方法】変更
【補正の内容】
【０００６】
本発明はこのような従来技術の課題に着目してなされたものであって、互いに関連又は縁を持っている又はそのようになる可能性がある人たちが、たまたま偶然に又はその他の事情で近傍に位置することになった機会を逃すこと無く、互いに「フェイス・ツー・フェイスの出会い」や交流、連絡又は交信などをすることを支援することができる、出会い・連絡等支援システムを提供することを目的とする。
【手続補正６】
【補正対象書類名】明細書
【補正対象項目名】０００８
【補正方法】変更
【補正の内容】
【０００８】
第１  特許請求の範囲に記載された発明は次のとおりである。
１．複数のユーザーのそれぞれの識別データ又は属性データを記録しておくユーザーデータ記録等手段と、複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、少なくとも、各ユーザーの識別データ又は属性データと、各ユーザー又は前記或るユーザーＡの『もし自己の近くに居れば出会い等を希望する他のユーザー』の識別データ又は属性データと、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、「（ａ）互いに相手の『もし自己の近くに居れば出会い等を希望する他のユーザーの識別データ又は属性データ』に対応しており、且つ、互いに『近く』に居る、複数のユーザー」を、又は「（ｂ）前記或るユーザーＡの『もし自己の近くに居れば出会い等を希望する他のユーザーの識別データ又は属性データ』に対応しており、且つ、前記或るユーザーＡの『近く』に居る、一人又は複数の他のユーザーＢ」を、抽出又は検索する抽出等手段と、を備えた、ことを特徴とする、出会い・交流・連絡又は交信の支援のためのシステム。
２．ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、複数のユーザーに関して、それぞれ、「自己の若しくはそのユーザー側端末の、及び、もし自己の近くに居れば自己が出会い、交流、連絡又は交信をしたいと希望する一人又は複数の他のユーザーの若しくはそのユーザー側端末の、識別データ（前記『識別データ』は、氏名、電話番号、電子メールアドレス、所属している特定の団体の名称などの所属しているグループの識別データ、などを含む）」、又は「自己の属性データ、及び、『もし自己の近くに居れば自己が出会い、交流、連絡又は交信をしたいと希望する一人又は複数の他のユーザー』の属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ・サークル、出身学校、出身地、出身国、現在の居住地、などを含む）」を、入力する、記録しておく若しくはユーザー側から受信するユーザー関連データ記録等手段と、複数のユーザーに関して、各現在位置に関する座標データ（ＧＰＳ受信機などを利用して得られるデータであって現在位置に関する座標データを得るための基礎となるデータをも含む）を取得又は受信する座標データ取得等手段と、（ａ）少なくとも、「或るユーザーＡの、もし自己の近くに居れば出会い等を希望する他のユーザーの識別データ又は属性データ」と、各ユーザーの現在位置に関する座標データから得られる「前記或るユーザーＡと他のユーザーとが互いにどのくらい近くに居るか若しくは前記或るユーザーＡと他のユーザーとの近接度を示す情報」とに基づいて、又は、（ｂ）少なくとも、「各ユーザーの、もし自己の近くに居れば出会い等を希望する他のユーザーの識別データ又は属性データ」と、各ユーザーの現在位置に関する座標データから得られる「前記各ユーザーが互いにどのくらい近くに居るか若しくは前記各ユーザー間の近接度を示す情報」とに基づいて、（ａ）複数の他のユーザー（複数の、前記或るユーザーＡ以外のユーザー）、又は、（ｂ）複数のユーザーの中から、（ａ）「前記或るユーザーＡの、もし自己の近くに居れば出会い等を希望する他のユーザーの識別データ又は属性データ」に対応する、一人又は複数の他のユーザーＢを、又は、（ｂ）互いに相手が「もし自己の近くに居れば出会い等を希望するような、他のユーザー」であるような識別データ又は属性データを有している複数のユーザーを、抽出又は選択する抽出等手段と、
を備えたことを特徴とする、出会い・交流・連絡又は交信の支援のためのシステム。
３．複数のユーザーのそれぞれの識別データ又は属性データを、入力する、記録しておく若しくはユーザー側から受信するためのユーザーデータ記録等手段と、複数のユーザーの各現在位置に関する座標データ（ＧＰＳ受信機などを利用して得られるデータであって現在位置に関する座標データを得るための基礎となるデータをも含む）を取得又は受信する座標データ取得等手段と、或るユーザーＡ側から又は各ユーザー側からの、「自己が出会い、交流、連絡又は交信をしたいと希望する他のユーザー」に関する検索条件であって、少なくとも「前記或るユーザーＡ又は各ユーザーがもし自己の近くに居れば自己が出会い、交流、連絡又は交信をしたいと希望する他のユーザーの識別データ又は属性データ（前記『自己が出会い等を希望する他のユーザーの属性データ』は、『前記或るユーザーＡ又は各ユーザー自身の属性データ』によって兼ねられるものであってもよい）」を含む検索条件を、取得、受信、入力又は送信する検索条件取得等手段と、少なくとも、或るユーザーＡ側又は各ユーザー側からの前記検索条件と、各ユーザーの識別データ又は属性データと、「（ａ）各ユーザーの現在位置に関する座標データから得られる、前記或るユーザーＡと他のユーザーとが互いにどのくらい近くに居るか若しくは前記或るユーザーＡと他のユーザーとの近接度を示す情報、又は、（ｂ）各ユーザーの現在位置に関する座標データから得られる、前記各ユーザーが互いにどのくらい近くに居るか若しくは前記各ユーザー間の近接度を示す情報」とに基づいて、複数の他のユーザー（複数の、前記或るユーザーＡ以外のユーザー）又は複数のユーザーの中から、「（ａ）前記或るユーザーＡの検索条件を満たす一人又は複数の他のユーザーＢ」又は「（ｂ）互いに相手が自らの前記検索条件を満たす複数のユーザー」を、抽出又は検索する抽出等手段と、備えた、ことを特徴とする、出会い・交流・連絡又は交信の支援のためのシステム。
４．ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、複数のユーザーに関して、それぞれ、「もし自己の近くに居れば自己が出会い、交流、連絡又は交信をしたいと希望する一人又は複数の他のユーザーの若しくはその他のユーザーが保有する端末の、識別データ（前記『識別データ』は、氏名、電話番号、電子メールアドレス、所属している特定の団体の名称などの所属しているグループの識別データ、などを含む）」、又は「自己の属性データ、及び、『もし自己の近くに居れば自己が出会い、交流、連絡又は交信をしたいと希望する一人又は複数の他のユーザー』の属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ・サークル、出身学校、出身地、出身国、現在の居住地、などを含む）」を、記録しておく若しくはユーザー側から受信するユーザー関連データ記録等手段と、複数のユーザーに関して、それぞれの現在位置に関する座標データ（ＧＰＳ受信機などを利用して得られるデータであって現在位置に関する座標データを得るための基礎となるデータをも含む）を、入力、取得、又は受信する座標データ取得等手段と、少なくとも、各ユーザーの又は或るユーザーＡの「もし自己の近くに居れば出会い等を希望する他のユーザーの識別データ又は属性データ」と、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、複数のユーザー又は複数の他のユーザー（複数の、前記或るユーザーＡ以外のユーザー）の中から、
「互いに相手が『もし自己の近くに居れば出会い等を希望する他のユーザーの識別データ又は属性データ』に対応しているような、複数のユーザー」、又は「『前記或るユーザーＡの、もし自己の近くに居れば出会い等を希望する他のユーザーの識別データ又は属性データ』に対応する、一人又は複数の他のユーザーＢ」を、抽出又は選択する抽出等手段と、を備えたことを特徴とする、出会い・交流・連絡又は交信の支援のためのシステム。
５．ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、複数のユーザーに関して、それぞれが所属しているグループを識別するグループ識別データ（特定のサークルや団体の名称などを含む）を、記録しておく若しくはユーザー側から受信するグループ識別データ記録等手段と、複数のユーザーに関して、各現在位置に関する座標データ（ＧＰＳ受信機などを利用して得られるデータであって現在位置に関する座標データを得るための基礎となるデータをも含む）を取得又は受信する座標データ取得等手段と、少なくとも、各ユーザー又は或るユーザーＡが所属しているグループ識別データと、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、複数のユーザー又は複数の他のユーザー（複数の、前記或るユーザーＡ以外のユーザー）の中から、「（ａ）互いが同一のグループ識別データに対応するグループに所属しており、且つ、互いに相手が自己の前記座標データに対応する位置から近くに居る、複数のユーザー」、又は「（ｂ）前記或るユーザーＡが所属しているのと同一のグループ識別データに対応するグループに所属しており、且つ、前記或るユーザーＡの前記座標データに対応する位置から近くに居る、一人又は複数の他のユーザーＢ」を、
抽出又は選択する抽出等手段と、を備えたことを特徴とする、出会い・交流・連絡又は交信の支援のためのシステム。
６．複数のユーザーのそれぞれの識別データ又は属性データを記録しておくユーザーデータ記録等手段と、複数のユーザーの各現在位置に関する座標データ（ＧＰＳ受信機などを利用して得られるデータであって現在位置に関する座標データを得るための基礎となるデータをも含む）を取得又は受信する座標データ取得等手段と、複数の各ユーザーの又は或るユーザーＡの「自己が出会い、交流、連絡又は交信をしたいと希望する他のユーザー」に関する検索条件であって、少なくとも「前記『自己が出会い等を希望する他のユーザー』の識別データ又は属性データ（前記『自己が出会い等を希望する他のユーザーの属性データ』は、『前記各ユーザー又は或るユーザーＡ自身の属性データ』によって兼ねられるものであってもよい）」を含む検索条件を、取得、受信、記録、入力又は送信する検索条件取得等手段と、少なくとも、各ユーザー側から又は或るユーザーＡ側からの前記検索条件と、各ユーザーの識別データ又は属性データと、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、複数のユーザー又は複数の他のユーザー（複数の、前記或るユーザーＡ以外のユーザー）の中から、「（ａ）互いに相手が自らの前記検索条件を満たすような、複数のユーザー」、又は「（ｂ）前記或るユーザーＡが希望する検索条件を満たすような、一人又は複数の他のユーザーＢ」を、抽出又は検索する抽出等手段と、備えた、ことを特徴とする、出会い・交流・連絡又は交信の支援のためのシステム。
７．複数のユーザーのそれぞれの識別データ又は属性データを受信する又は記録しておくユーザーデータ記録等手段と、複数のユーザーに関して、それぞれ、「もし自己の近くに居れば自己が出会い、交流、連絡又は交信をしたいと希望する一人又は複数の他のユーザー」の識別データ又は属性データを、各ユーザーの識別データと対応付けて、入力する、送信する、受信する、又は記録しておくための希望他人データ記録等手段（前記「自己が出会い等を希望する他のユーザーの属性データ」は、「前記ユーザー自身（自己）の属性データ」によって兼ねられるものであってもよい。また、前記「他のユーザーの識別データ又は属性データ」を記録しておくための手段は、前記ユーザーデータ記録等手段と同一のハードウェアにより構成されていてもよい）と、複数のユーザーの各現在位置に関する座標データ（ＧＰＳ受信機などを利用して得られるデータであって現在位置に関する座標データを得るための基礎となるデータをも含む）を、各ユーザーの識別データと対応付けて、随時又は定期的に、取得、受信、入力又は送信する座標データ取得手段と、少なくとも、各ユーザーの識別データ又は属性データと、各ユーザー又は或るユーザーＡがもし自己の近くに居れば出会い等を希望する『他のユーザー』の識別データ又は属性データと、各ユーザーの現在位置に関する座標データと、「（ａ）各ユーザーの現在位置に関する座標データから得られる、前記各ユーザーが互いにどのくらい近くに居るか若しくは前記各ユーザー間の近接度を示す情報、又は（ｂ）各ユーザーの現在位置に関する座標データから得られる、前記或るユーザーＡと他のユーザーとが互いにどのくらい近くに居るか若しくは前記或るユーザーＡと他のユーザーとの近接度を示す情報」とに基づいて、複数のユーザー又は複数の他のユーザー（複数の、前記或るユーザーＡ以外のユーザー）の中から、「（ａ）互いに相手が『もし自己の近くに居れば出会い等を希望する他のユーザーの識別データ又は属性データ』に対応しており、且つ、互いに相手が自己の前記座標データに対応する位置から近くに居る、複数のユーザー」、又は「（ｂ）前記或るユーザーＡがもし自己の近くに居れば出会い等を希望する他のユーザーの識別データ又は属性データに対応しており、且つ、前記或るユーザーＡの前記座標データに対応する位置から近くに居る、一人又は複数の他のユーザーＢ」を、抽出又は検索する抽出等手段と、を備えた、ことを特徴とする、出会い・交流・連絡又は交信の支援のためのシステム。
８．ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、複数のユーザーに関して、それぞれ、「自己の若しくはそのユーザー側端末の、及び、もし自己の近くに居れば自己が出会い、交流、連絡又は交信をしたいと希望する一人又は複数の他のユーザーの若しくはそのユーザー側端末の、識別データ（前記『識別データ』は、氏名、電話番号、電子メールアドレス、所属している特定の団体の名称などの所属しているグループの識別データ、などを含む）」、又は「自己の、及び、『もし自己の近くに居れば自己が出会い、交流、連絡又は交信をしたいと希望する一人又は複数の他のユーザー』の、属性データ（前記『自己が出会い等を希望する他のユーザーの属性データ』は、前記『自己の属性データ』によって兼ねられるものであってもよい。また前記『属性データ』は、性別、趣味、職業、年齢、趣味や仕事関係で所属している団体・グループ・サークル、出身学校、出身地、出身国、現在の居住地、などを含む）」を、記録しておく若しくはユーザー側から受信するユーザー関連データ記録等手段と、複数のユーザーに関して、各現在位置に関する座標データ（ＧＰＳ受信機などを利用して得られるデータであって現在位置に関する座標データを得るための基礎となるデータをも含む）を受信又は取得する座標データ取得等手段と、（ａ）予め得られている「或るユーザーＡが居るのと同一の無線基地局の圏内に居る、若しくは、或るユーザーＡがアクセスしているのと同一の無線基地局にアクセスしている、複数の他のユーザーＢ１（複数の、前記或るユーザーＡ以外のユーザーＢ１）」若しくは予め得られている「或るユーザーＡ及び複数の他のユーザーの各現在位置に関する座標データに基づいて予め抽出された、或るユーザーＡの近くに居る、複数の他のユーザーＢ１（複数の、前記或るユーザーＡ以外のユーザーＢ１）」の中から、又は（ｂ）予め得られている「或る無線基地局の圏内に居る、若しくは、或る無線基地局にアクセスしている、複数のユーザーＢ２」若しくは予め得られている「複数のユーザーの各現在位置に関する座標データに基づいて予め抽出された、互いに近くに居る、複数のユーザーＢ２」の中から、少なくとも「或るユーザーＡ又は各ユーザーがもし自己の近くに居れば出会い等を希望する他のユーザーの識別データ又は属性データと、各ユーザーの現在位置に関する座標データと」に基づいて、「（ａ）『或るユーザーＡがもし自己の近くに居れば出会い等を希望する他のユーザーの識別データ又は属性データ』に対応しており、且つ、或るユーザーＡの『近く』に居る（ここでの『近く』とは、前記「無線基地局の圏内」よりも狭い範囲を示す近く、若しくは、前記複数の他のユーザーＢ１を予め抽出したときの「近く」よりも狭い範囲を示す近く、を意味する）、一人又は複数の他のユーザーＢ１’」を、又は、「（ｂ）互いに相手が『もし自己の近くに居れば出会い等を希望する他のユーザーの識別データ又は属性データ』に対応しており、且つ、互いに『近く』に居る（ここでの『近く』とは、前記『無線基地局の圏内』よりも狭い範囲を示す近く、若しくは、前記複数のユーザーＢ２を予め抽出したときの『近く』よりも狭い範囲を示す近く、を意味する）、複数のユーザーＢ２’」を、抽出又は選択する抽出等手段と、を備えたことを特徴とする、出会い・交流・連絡又は交信の支援のためのシステム。
９．ユーザーが保持又は使用する、通信機能を備えたユーザー側端末、及び／又は、前記ユーザー側端末による通信又はそのユーザーへのサービスのために使用される、センター側の若しくは基地局側の一つ若しくは複数のコンピュータ、に備えられた（又は、により構成される）、出会い、交流、連絡又は交信の支援のためのシステムであって、複数のユーザーに関して、それぞれ（自己）が所属しているグループを識別するグループ識別データ（特定のサークルや団体の名称などをも含む）を、記録しておく若しくはユーザー側から受信するグループ識別データ記録等手段と、複数のユーザーに関して、各現在位置に関する座標データ（ＧＰＳ受信機などを利用して得られるデータであって現在位置に関する座標データを得るための基礎となるデータをも含む）を取得又は受信する座標データ取得等手段と、（ａ）予め得られている「互いに同一の基地局の圏内に居る、若しくは、互いに同一の基地局にアクセスしている複数のユーザーＡ１」若しくは予め得られている「複数のユーザーの各現在位置に関する座標データに基づいて予め抽出された、互いに近くに居る、複数のユーザーＡ１」の中から、又は（ｂ）予め得られている「或るユーザーＡが居るのと同一の無線基地局の圏内に居る、若しくは、或るユーザーＡがアクセスしているのと同一の無線基地局にアクセスしている、複数の他の（前記或るユーザーＡ以外の）ユーザーＡ２」若しくは予め得られている「或るユーザーＡ及び複数の他のユーザーの各現在位置に関する座標データに基づいて予め抽出された、或るユーザーＡの近くに居る、複数の他のユーザーＡ２（複数の、前記或るユーザーＡ以外のユーザーＡ２）」の中から、少なくとも「各ユーザー又は或るユーザーＡが所属しているグループのグループ識別データと、各ユーザーの現在位置に関する座標データと」に基づいて、「互いが同一のグループ識別データに対応するグループに所属しており、且つ、互いに『近く』に居る（ここでの『近く』とは、前記「基地局の圏内」よりも狭い範囲を示す近く、又は、前記複数のユーザーＡ１を予め抽出したときの「近く」よりも狭い範囲を示す近く、を意味する）、複数のユーザーＡ１’」を、又は、「『或るユーザーＡが所属しているグループと同一のグループ識別データに対応するグループに所属しており、且つ、或るユーザーＡの『近く』に居る（ここでの『近く』とは、前記『無線基地局の圏内』よりも狭い範囲を示す近く、若しくは、前記複数の他のユーザーＡ２を予め抽出したときの『近く』よりも狭い範囲を示す近く、を意味する）、一人又は複数の他のユーザーＡ２’」を、抽出又は選択する抽出等手段と、を備えたことを特徴とする、出会い・交流・連絡又は交信の支援のためのシステム。
１０．複数のユーザーのそれぞれの識別データ又は属性データを記録しておくユーザーデータ記録等手段と、複数のユーザーの各現在位置に関する座標データ（ＧＰＳ受信機などを利用して得られるデータであって現在位置に関する座標データを得るための基礎となるデータをも含む）を取得又は受信する座標データ取得等手段と、各ユーザー又は或るユーザーＡの「自己が出会い、交流、連絡又は交信をしたいと希望する他のユーザー」に関する検索条件であって、少なくとも「前記『自己が出会い等を希望する他のユーザー』の識別データ又は属性データ（前記『自己が出会い等を希望する他のユーザーの属性データ』は、『前記各ユーザー又は或るユーザーＡ自身の属性データ』によって兼ねられるものであってもよい）」を含む検索条件を、取得、受信、入力又は送信する検索条件取得等手段と、（ａ）予め得られている「互いに同一の無線基地局の圏内に居る、若しくは、互いに同一の無線基地局にアクセスしている複数のユーザーＡ１」若しくは予め得られている「複数のユーザーの各現在位置に関する座標データに基づいて予め抽出された、互いに近くに居る、複数のユーザーＡ１」の中から、又は（ｂ）予め得られている「或るユーザーＡが居るのと同一の無線基地局の圏内に居る、若しくは、或るユーザーＡがアクセスしているのと同一の無線基地局にアクセスしている、複数の他のユーザーＡ２（複数の、前記或るユーザーＡ以外のユーザーＡ２）」若しくは予め得られている「或るユーザーＡ及び複数の他のユーザーの各現在位置に関する座標データに基づいて予め抽出された、或るユーザーＡの近くに居る、複数の他のユーザーＡ２（前記或るユーザーＡ以外のユーザーＡ２）」の中から、少なくとも「各ユーザーの識別データ又は属性データと、各ユーザーの現在位置に関する座標データと、各ユーザー又は或るユーザーＡの前記検索条件と」に基づいて、「（ａ）互いに相手が自らの検索条件を満たしており、且つ、互いに『近く』に居る（ここでの『近く』とは、前記「基地局の圏内」よりも狭い範囲を示す近く、又は、前記複数のユーザーＡ１を予め抽出したときの「近く」よりも狭い範囲を示す近く、を意味する）、複数のユーザーＡ１’」を、又は「（ｂ）前記或るユーザーＡの検索条件を満たしており、且つ、前記或るユーザーＡの『近く』に居る（ここでの『近く』とは、前記『無線基地局の圏内』よりも狭い範囲を示す近く、若しくは、前記複数の他のユーザーＡ２を予め抽出したときの『近く』よりも狭い範囲を示す近く、を意味する）、一人又は複数の他のユーザーＡ２’」を、抽出又は検索する抽出等手段と、備えた、ことを特徴とする、出会い・交流・連絡又は交信の支援のためのシステム。
第２  特許請求の範囲に記載された発明ではないが、本明細書では次のような発明も含まれている。
１．ユーザーが使用する移動体通信端末であって、ユーザーが「ユーザーに関するキー・データ」（自己のキー・データ又は自己が出会いたい人・連絡したい人・連絡したい人に関するキー・データ）を記録する記録手段と、前記キー・データを近傍のエリア内に向けて無線で送信する送信手段と、他のユーザーが使用する移動体通信端末から近傍のエリア内に向けて無線送信された他のユーザーに関するキー・データを受信する受信手段と、前記受信手段により受信した他のユーザーの通信端末からのキー・データが前記のユーザーの「自己に関するキー・データ」と一致又は関連しているとき、そのことを前記のユーザーに知らせるための告知手段と、を含む移動体通信端末を備え、「ユーザーが近くの場所に居れば会いたいと思う人・連絡したい人」が実際にユーザーの近くに居るとき、そのことをユーザーに知らせて実際にその人に会うこと・連絡することができるように支援することを特徴とする出会い・連絡支援システム。
２．上記１において、さらに、前記移動体通信端末は、ユーザーの現在位置を特定するための現在位置特定手段をも含み、前記送信手段は、前記キー・データと共に、前記第１のユーザーの現在位置データをも送信するものである、出会い・連絡支援システム。
３．上記１又は２において、前記送信手段は、前記キー・データと共に、前記のユーザーからのメッセージをも送信するものであり、前記告知手段は、前記の他のユーザーからのメッセージの内容をも知らせるものである、出会い・連絡支援システム。
４．上記１，２又は３において、さらに、前記受信手段により受信した「他のユーザー」の通信端末からのキー・データにより特定されるその「他のユーザー」が、前記のユーザーが予め設定した「もし近傍に居れば自動的に通信可能状態にしたい人の条件」を満たしているとき、前記のユーザーの通信端末と前記の「他のユーザー」の通信端末との間を自動的に通信可能状態とする自動通信モード設定手段、を備えた出会い・連絡支援システム。
５．ユーザーが使用する移動体通信端末であって、ユーザーが「ユーザーに関するキー・データ」（自己のキー・データ又は自己が出会いたい人・連絡したい人・連絡したい人に関するキー・データ）を記録する記録手段と、自己の現在位置を特定するための現在位置特定手段と、前記のキー・データ及び現在位置データを無線により送信する送信手段と、他のユーザーが携帯している通信端末から無線送信された「他のユーザーに関するキー・データ」及び「他のユーザーの現在位置データ」を受信する受信手段と、前記受信手段により受信した前記の「他のユーザーに関するキー・データ」が前記のユーザーの「ユーザーに関するキー・データ」と一致又は関連しており、且つ、前記受信手段により受信した他のユーザーの現在位置が前記のユーザーの現在位置の近傍であるとき、そのことを前記のユーザーに知らせるための告知手段と、を含む移動体通信端末を備え、
「ユーザーが近くの場所に居れば会いたいと思う人・連絡したい人」が実際にユーザーの近くに居るとき、そのことをユーザーに知らせて実際にその人に会うこと・連絡することができるように支援することを特徴とする出会い・連絡支援システム。
６．上記５において、前記送信手段は、前記キー・データ及び現在位置データと共に、前記のユーザーからのメッセージをも送信するものであり、前記告知手段は、前記の他のユーザーからのメッセージの内容をも告知するものである、出会い・連絡支援システム。
７．上記５又は６において、さらに、前記受信手段により受信した他のユーザーのキー・データが前記のユーザーの「ユーザーに関するキー・データ」と一致又は関連しており、且つ、前記受信手段により受信した「他のユーザー」の現在位置が前記のユーザーの現在位置の近傍であるとき、前記のユーザーの通信端末と前記の「他のユーザー」の通信端末との間を自動的に通信可能状態とする自動通信モード設定手段、を備えた出会い・連絡支援システム。
８．複数のユーザーが使用する移動体通信端末であって、少なくとも、各ユーザーが「ユーザーに関するキー・データ」（自己のキー・データ又は自己が出会いたい人・連絡したい人に関するキー・データ）を近傍のエリア内をカバーする無線局（基地局）に無線で送信する送信手段を有する移動体通信端末と、前記の複数の通信端末からそれぞれ前記無線局（基地局）内に設置された又は無線局（基地局）に接続されたセンター（センターのコンピュータ）に無線送信されたキー・データに基づいて、互いに一致又は関連するキー・データを有する複数のユーザーが互いに近傍の位置に居るとき、それらのユーザーに対して、そのことを知らせる告知手段と、を備えた出会い・連絡支援システム。
９．上記８において、前記移動体通信端末は、前記ユーザーの現在位置を特定するための現在位置特定手段をも含み、前記送信手段は、前記キー・データと共に、前記のユーザーの現在位置データをも送信するものである、出会い・連絡支援システム。
１０．上記８又は９において、前記送信手段は、前記ユーザーに関するキー・データと共に、前記各ユーザーからのメッセージをも送信するものであり、前記告知手段は、このメッセージの内容をも告知するものである、出会い・連絡支援システム。
１１．上記８，９又は１０において、さらに、互いに一致又は関連するキー・データを有する複数のユーザーが互いに近傍の位置に居ると判断したとき、前記の互いに一致又は関連するキー・データを有する複数のユーザーが使用する移動体通信端末の間を自動的に通信可能状態とする自動通信モード設定手段、を備えた出会い・連絡支援システム。
１２．複数のユーザーが使用する移動体通信端末であって、少なくとも、各ユーザーの「ユーザーに関するキー・データ」（自己のキー・データ、又は、自己が出会いたい人・連絡したい人に関するキー・データ）を記録する記録手段、各ユーザーの現在位置を特定するための現在位置特定手段、及び、前記の自己に関するキー・データ及び自己の現在位置データをセンター（センターの（「サーバー」コンピュータや「ホスト」コンピュータなど）に向けて無線で送信する送信手段、を有する移動体通信端末と、前記の各移動体通信端末からそれぞれセンターに無線送信された各ユーザーのキー・データ及び現在位置データに基づいて、「あるユーザー」の近傍のエリア内に、「そのユーザー」に関するキー・データと一致又は関連するキー・データを有する「他のユーザー」が居るときは、それらの各ユーザーにそのことを知らせる告知手段と、を備えた出会い・連絡支援システム。
１３．上記１２において、前記送信手段は、前記キー・データと共に、前記の各ユーザーからのメッセージをも送信するものであり、前記告知手段は、このメッセージの内容をも告知するものである、出会い・連絡支援システム。
１４．上記１２又は１３において、さらに、近傍のエリア内に一致又は関連するキー・データを有するユーザーが居るとき、前記の互いに一致又は関連するキー・データを有する複数のユーザーが使用する移動体通信端末の間を自動的に通信可能状態とする自動通信モード設定手段、を備えた出会い・連絡支援システム。
１５．複数のユーザーがそれぞれ携帯する移動体通信端末であって、少なくとも、各ユーザーの自己を識別する識別データ、及び、自己の現在位置特定用データ（自己の現在位置を特定するデータ、又は、例えばＧＰＳ用信号などの自己の現在位置を特定するための資料となるデータ）を、センター（「サーバー」コンピュータや「ホスト」コンピュータなど）に向けて無線で送信する送信手段、を有する移動体通信端末と、前記センター側に備えられ、前記の各移動体通信端末からそれぞれ送信された各ユーザーの識別データ及び現在位置特定用データに基づいて、「あるユーザー」の近傍のエリア内に「そのユーザーがもし近傍の地に居れば実際に会いたい又は連絡したいと希望する人」が居るとき、そのことを前記ユーザーに知らせるための告知手段と、を備えた出会い・連絡支援システム。
【手続補正７】
【補正対象書類名】明細書
【補正対象項目名】０００９
【補正方法】変更
【補正の内容】
【０００９】
第１  本発明の主たる効果は次のとおりである。すなわち、本発明によれば、互いに関連又は縁を持っている又はそのようになる可能性がある人たちが、たまたま偶然に又はその他の事情で近傍に位置することになった機会を逃すこと無く、互いに「フェイス・ツー・フェイスの出会い」や交流、連絡又は交信などをすることを支援することができる。なお、本発明は、「比較的近くの場所に居あわせた人たち同士が、実際に出会える機会又は連絡などし合える機会を持てるように支援すること」を、歩行者（店舗など施設や道路などに存在している人だけでなく、電車などの公共の交通機関を利用している人をも含む）同士の間だけでなく、歩行者と自動車に乗っている人との間や、自動車に乗っている人同士の間についても、可能にすることができる。
第２  本発明の主たる効果ではないが、本発明は次のような付随的又は副次的な効果をも奏することができる。すなわち、「特定の大型施設や特定の海水浴状などのエリアの中の近くの場所に同じ時間帯に居る可能性があることを、予めお互いに知っている（例えば、事前に個人的に連絡して知っている、同じ趣味のサークルの会報などで事前に知っている、又は、同じ趣味の自動車のツーリング仲間で事前にツーリング先を知っていてもし機会があり可能ならば其処で落ち合おうという話をしている）ユーザー同士が、比較的広いエリア内で、お互いが実際に近くに居るかどうかを知り、そして、実際に出合う又は連絡すること」を支援することも、本発明による目的・効果も一つである。
第３  さらに、本願発明の実施形態においては次のような効果を奏することができる。すなわち、「もし偶然に近くの場所に居れば実際に会いたい人又は連絡したい人」が存在しており、且つ、その人が所定の条件（趣味が似てるとか、同じ学問や趣味の団体・サークルに所属している、などの条件）を満たしているときは、自動的に、その人の移動体通信端末との間で、通話（音声会話）モード、チャット（文字会話）モード、又は電子メール送信（電子メール交換可能）モードなどのデータ交信可能モードに移行することができる機能を備えたときは、ユーザーは、いちいち交信可能モードに変更するための操作が不要になり、大変に便利である。
また、前記の実施形態３のように、ユーザーの「識別データ」、「キー・データ（この「キー・データ（ユーザー自身のデータ、又は、ユーザーがもし近くに居れば出会いたい人又は連絡したい人に関するデータ）」は、前記のユーザー識別データを含むものであってもよい）、及び「位置座標データ」を、移動体通信端末から、最寄りの無線局（基地局）又はインターネットなどのネットワークを介して、ネットワークに接続されたセンター（「サーバー」などのコンピュータ）に送信するようにし、このセンターで、各ユーザーの「キー・データ」や「位置座標データ」を互いにマッチング処理するようにしたときは（さらに、ユーザーの「キー・データ」をも、センターのコンピュータに蓄積するようにして、各ユーザーの通信端末からは、各ユーザーの「識別データ」と「位置座標データ」とだけを送信するようにしたときは）、マッチング処理などの複雑な情報処理を、ユーザーが使用する移動体通信端末ではなく、ネットワーク上のコンピュータで行うことができるので、各ユーザーが使用する移動体通信端末の構成を簡素化・小型化・低消費電力化することができる。